(57)【要約】【課題】血液充填量が小さく、且つ、血液循環時の圧力損失が小さい血液流入ポートを提供する。【解決手段】血液流入ポート２０は、体外血液循環回路に接続される第１管部２１と、貯血槽に接続される第２管部２２と、温度プルーブが挿入されるプルーブ挿入部２５とを備える。プルーブ挿入部は、第１管部と第２管部との接続部又はその近傍の第１管部若しくは第２管部に接続されている。第２管部の中心軸と平行な軸をＺ軸、Ｚ軸と直交し且つ第１管部の中心軸及び第２管部の中心軸を含む面と平行な軸をＸ軸、Ｘ軸及びＺ軸と直交する軸をＹ軸としたとき、プルーブ挿入部が接続された位置又はその近傍の位置でのＸＹ面と平行な断面において第２管部の内壁面がなす形状は、Ｘ軸と平行な方向を長軸方向とする略楕円形である。【選択図】図３
2008188233.tif 000002
【特許請求の範囲】
【請求項１】
体外血液循環回路に使用される貯血槽に取り付けられ、前記体外血液循環回路からの血液を前記貯血槽に導く血液流入ポートであって、
前記体外血液循環回路に接続される筒状の第１管部と、前記貯血槽に接続される筒状の第２管部と、血液温度を測定するための温度プルーブが挿入される筒状のプルーブ挿入部とを備え、
前記第１管部と前記第２管部とが屈曲して接続されており、
前記第１管部と前記第２管部との接続部又はその近傍の前記第１管部若しくは前記第２管部に前記プルーブ挿入部が接続されており、
前記第２管部の中心軸と平行な軸をＺ軸、Ｚ軸と直交し且つ前記第１管部の中心軸及び前記第２管部の中心軸を含む面と平行な軸をＸ軸、前記Ｘ軸及びＺ軸と直交する軸をＹ軸としたとき、前記プルーブ挿入部が接続された位置又はその近傍の位置でのＸ軸及びＹ軸を含む面と平行な断面において前記第２管部の内壁面がなす形状は、Ｘ軸と平行な方向を長軸方向とする略楕円形であることを特徴とする血液流入ポート。
【請求項２】
前記プルーブ挿入部の中心軸は前記第２管部の中心軸に対して同軸又は平行である請求項１に記載の血液流入ポート。
【請求項３】
前記プルーブ挿入部の中心軸は、前記第２管部の中心軸に対して平行であり、且つ、前記第２管部の中心軸に対して前記第１管部とは反対側に位置ずれしている請求項１に記載の血液流入ポート。
【請求項４】
請求項１〜３のいずれかに記載の血液流入ポートを備えた貯血槽。
【発明の詳細な説明】
【技術分野】
【０００１】
本発明は、心肺手術等を行う際に使用される体外血液循環回路中に設けられ、体外循環中の血液を一時的に貯留する貯血槽、及びこれに使用される血液流入ポート（脱血ポート）に関する。
【背景技術】
【０００２】
心臓手術等を行う場合、患者の心臓や肺の機能を代替するための血液ポンプや人工肺を備えた体外血液循環回路が用いられる。体外血液循環回路には、患者の静脈から脱血された静脈血を一時的に貯留するための貯血槽（「静脈血貯血槽」と呼ばれることがある）や、術野に溢れた血液（「心内血」と呼ばれることがある）を吸引して回収して一時的に貯留するための貯血槽（「心内血貯血槽」と呼ばれることがある）が設けられる。
【０００３】
図１７は従来の貯血槽（静脈血貯血槽）の概略構成を示した断面図である（特許文献１参照）。この貯血槽２００は、ハウジング２１０と、ハウジング２１０の上部に設けられた、静脈血が流入する血液流入ポート２２０と、血液流入ポート２２０にその上端が接続された導入管２３０と、ハウジング２１０内に収納された静脈血濾過網２４０と、血液流入ポート２２０に挿入された、血液温度を測定するための温度プルーブ２５０とを有している。ハウジング２１０は、その底面の中心から外れた一部が下方に突出した貯血部２１１と、貯血部２１１の下端に設けられた、血液が流出する血液流出ポート２１２とを備える。静脈血濾過網２４０は、多数の微細な開口を有するスクリーンフィルタなどからなる。導入管２３０は、静脈血濾過網２４０内を案内され、その下端は静脈血濾過網２４０の下端近傍にまで達している。温度プルーブ２５０の先端は、血液流入ポート２２０の血液流路内に突出している。
【０００４】
血液流入ポート２２０は患者の静脈にチューブで接続される。血液流出ポート２１２は、血液ポンプ、人工肺、動脈フィルターなどを介して患者の動脈にチューブで接続される。このようにして貯血槽２００を含む体外血液循環回路が形成される。
【０００５】
患者の大静脈から脱血された血液は、血液流入ポート２２０から導入管２３０を通過して導入管２３０の下端の開口から流出し、静脈血濾過網２４０を通過し、貯血部２１１内に一時的に貯留された後、血液流出ポート２１２から流出して患者の大動脈に返される。血液が静脈血濾過網２４０を通過する際に、血液中の異物及び気泡が除去される。この過程で、血液の温度が温度プルーブ２５０を用いて測定される。
【０００６】
体外血液循環では、感染症等を防止するために他人の血液を使用しない無輸血体外循環が実用化されている。無輸血体外循環を行う場合、体外血液循環回路を患者の血液で充填する必要がある。従って、患者の負担を軽減するため、体外血液循環回路を充填するのに必要な血液量、即ち回路充填量は少ない方が望ましい。特に、成人に比べて体重が軽い新生児や乳児に対して体外血液循環を行う場合には回路充填量の低減に対する要望は極めて高い。近年の体外血液循環回路の充填量の一例を挙げると、成人用が１２００ｍｌ程度であるに対して、新生児用は３５０ｍｌ程度、乳児用は４５０ｍｌ程度である。
【特許文献１】特開２０００−２４５８３０号公報
【発明の開示】
【発明が解決しようとする課題】
【０００７】
回路充填量を低減するためには、各種装置をつなぐチューブを短くするとともに、その内径を小さくすることが有効である。更に、図１７に示した貯血槽２００においては、血液流入ポート２２０の内径を小さくすることで、回路充填量を低減することができる。
【０００８】
しかしながら、血液流入ポート２２０の血液流路内には温度プルーブ２５０が突出しているので、単に血液流入ポート２２０の内径を小さくしただけでは、血液循環時の血液流入ポート２２０での圧力損失が増大する。圧力損失が増大すると、同一条件の駆動では必要な流量を確保できなくなる。
【０００９】
本発明は、血液充填量が小さく、且つ、血液循環時の圧力損失が小さい血液流入ポート及びこれを備えた貯血槽を提供することを目的とする。
【課題を解決するための手段】
【００１０】
本発明の血液流入ポートは、体外血液循環回路に使用される貯血槽に取り付けられ、前記体外血液循環回路からの血液を前記貯血槽に導く血液流入ポートであって、前記体外血液循環回路に接続される筒状の第１管部と、前記貯血槽に接続される筒状の第２管部と、血液温度を測定するための温度プルーブが挿入される筒状のプルーブ挿入部とを備える。前記第１管部と前記第２管部とが屈曲して接続されており、前記第１管部と前記第２管部との接続部又はその近傍の前記第１管部若しくは前記第２管部に前記プルーブ挿入部が接続されている。前記第２管部の中心軸と平行な軸をＺ軸、Ｚ軸と直交し且つ前記第１管部の中心軸及び前記第２管部の中心軸を含む面と平行な軸をＸ軸、前記Ｘ軸及びＺ軸と直交する軸をＹ軸としたとき、前記プルーブ挿入部が接続された位置又はその近傍の位置でのＸ軸及びＹ軸を含む面と平行な断面において前記第２管部の内壁面がなす形状は、Ｘ軸と平行な方向を長軸方向とする略楕円形であることを特徴とする。
【００１１】
また、本発明の貯血槽は、上記の本発明の血液流入ポートを備える。
【発明の効果】
【００１２】
本発明によれば、血液充填量が小さく、且つ、血液循環時の圧力損失が小さい血液流入ポート及びこれを備えた貯血槽を実現できる。
【発明を実施するための最良の形態】
【００１３】
上記の本発明の血液流入ポートにおいて、前記プルーブ挿入部の中心軸は前記第２管部の中心軸に対して同軸又は平行であることが好ましい。これにより、プルーブ挿入部に挿入される温度プルーブの長手方向を第２管部内での血液の流れ方向と一致させることができるので、温度プルーブによる血液の流れの乱れを低減でき、血液循環時の圧力損失を更に低減することができる。また、プルーブ挿入部の中心軸が、第１管部の中心軸ではなく、第２管部の中心軸に対して同軸又は平行であるので、血液流入ポートを介した温度プルーブの貯血槽に対する配置設計が容易になる。
【００１４】
前記プルーブ挿入部の中心軸は、前記第２管部の中心軸に対して平行であり、且つ、前記第２管部の中心軸に対して前記第１管部とは反対側に位置ずれしていることが好ましい。これにより、血液循環時の圧力損失を更に低減することができる。
【００１５】
以下に、本発明の好適な実施形態を具体的に説明する。但し、本発明は以下の実施形態に限定されない。
【００１６】
図１は本発明の一実施形態に係る血液流入ポート２０の斜視図、図２はその側面図である。この血液流入ポート２０は、体外血液循環回路に接続される流入端２１ｅを一端に有する筒状の第１管部２１と、貯血槽に接続される流出端２２ｅを一端に有する筒状の第２管部２２と、血液温度を測定するための温度プルーブが挿入される筒状のプルーブ挿入部２５と、薬液等を血液に混入させる等のための筒状の第３及び第４管部２３，２４とを備えている。血液は、第１管部２１の流入端２１ｅから流入し、第２管部２２の流出端２２ｅから流出する。第１管部２１と第２管部２２とが屈曲して接続されており、第１管部２１と第２管部２２との接続部にプルーブ挿入部２５が接続されている。第３及び第４管部２３，２４は、第１管部２１と第２管部２２との接続部よりも下流側にて第２管部２２に斜めに接続されている。
【００１７】
図３（Ａ）は血液流入ポート２０の第１管部２１の中心軸２１ａ及び第２管部２２の中心軸２２ａを含む面での側面断面図、図４は血液流入ポート２０の第２管部２２の中心軸２２ａ及び第３及び第４管部２３，２４の中心軸２３ａ，２４ａを含む面での背面断面図である。以下の説明の便宜のために、図示したようなＸＹＺ直交座標系を設定する。Ｚ軸は第２管部２２の中心軸２２ａと平行である。Ｘ軸は、Ｚ軸と直交し且つ第１管部２１の中心軸２１ａ及び第２管部２２の中心軸２２ａを含む面と平行である。Ｙ軸は、Ｘ軸及びＺ軸と直交する。第３及び第４管部２３，２４の各中心軸２３ａ，２４ａはＹ軸及びＺ軸を含む面（ＹＺ面）と平行である。
【００１８】
図３（Ａ）に示すように、プルーブ挿入部２５の中心軸２５ａは第２管部２２の中心軸２２ａと平行であり、中心軸２２ａに対して第１管部２１とは反対側に距離ｄだけ位置ずれしている。
【００１９】
図５はプルーブ挿入部２５に温度プルーブ７０が挿入された血液流入ポート２０の斜視図、図６はその側面図である。また、図７は、プルーブ挿入部２５に温度プルーブ７０が挿入された血液流入ポート２０の第１管部２１の中心軸２１ａ及び第２管部２２の中心軸２２ａを含む面での側面断面図である。図７に示すように、温度プルーブ７０は、その先端を含む一部が血液流入ポート２０の血液流路内に突出するように、プルーブ挿入部２５に挿入され保持される。
【００２０】
図３（Ａ）の断面３Ｂ，３Ｃ，３Ｄにおいて血液流路の内壁面がなす形状を順に図３（Ｂ），図３（Ｃ），図３（Ｄ）に示す。図３（Ｂ）に示すように、第１管部２１の中心軸２１ａに垂直な断面において第１管部２１の内壁面がなす形状は、中心軸２１ａ方向の位置にかかわらず直径Ｄ１が一定の円形である。一方、第２管部２２の中心軸２２ａに垂直な断面（即ち、Ｘ軸及びＹ軸を含む面（ＸＹ面）と平行な断面）において第２管部２２の内壁面がなす形状は、温度プルーブ７０が挿入されるプルーブ挿入部２５が接続された位置近傍では図３（Ｃ）に示すように短径Ｄ１及び長径Ｄ２を有する楕円形であり、第２管部２２の流出端２２ｅ又はその近傍では図３（Ｄ）に示すように直径Ｄ２の円形である。図３（Ｃ）において、楕円形の長軸方向はＸ軸と平行であり、短軸方向はＹ軸と平行である。このように、第２管部２２の内壁面のＸＹ面と平行な断面形状は、プルーブ挿入部２５が接続された位置近傍ではＸ軸方向を長軸方向とし、Ｙ軸方向を短軸方向とする楕円形であり、これより流出端２２ｅに近づくにしたがってＸ軸方向径が一定のままＹ軸方向径が徐々に増大し、流出端２２ｅ又はその近傍において円形となる。第１管部２１の内壁面と第２管部２２の内壁面とは、第１管部２１と第２管部２２との接続部において滑らかに接続されている。
【００２１】
プルーブ挿入部２５が接続された位置近傍での第２管部２２の内壁面のＸＹ面と平行な断面形状が図３（Ｃ）に示すような楕円形状とすることにより、血液流入ポート２０の血液流路の内径を小さくすることでその血液充填量を小さくしても、図５〜図７に示すようにプルーブ挿入部２５に温度プルーブ７０が挿入された状態での血液循環時の圧力損失を小さく抑えることができる。
【００２２】
血液流入ポート２０の材料及び製造方法は特に制限はなく、公知の如何なる材料及び方法と同一であっても良い。例えば、ポリカーボネート等の樹脂材料を射出成型することで得ることができる。
【００２３】
次に、本発明の血液流入ポート２０を備えた貯血槽の一例を説明する。
【００２４】
図８は血液流入ポート２０を備えた貯血槽１の一例の斜視図、図９はその側面断面図である。この貯血槽１は、ハウジング本体１１とハウジング本体１１の上部に載置された蓋体１６とからなるハウジング１０を備える。
【００２５】
ハウジング本体１１は、その底面の中心から外れた一部が下方に突出して形成された貯血部１２と、貯血部１２の下端に設けられた、血液が流出する血液流出ポート１３とを備える。ハウジング本体１１の下面には、手術室に立設された支柱の上端を挿入することで貯血槽１を保持するための固定用穴１４が形成されている。
【００２６】
蓋体１６には、静脈血が流入する血液流入ポート２０と、心内血が流入する複数の心内血流入ポート５０とが取り付けられている。更に、蓋体１６には、薬液等を血液に混入するための複数の薬液注入ポート７１，７２、緊急に大量の薬液を血液に混入させたり、後述するカーディオトミー部６０の濾過部６３がそのフィルタの目詰まりにより使用できなくなった場合に代替のカーディオトミー部を通過させた血液を流入させたりするためのサービスポート７３、貯血槽１内の圧力を調整するための排気ポート７４、貯血槽１内の圧力が異常な陽圧又は陰圧になるのを防止するための圧力調整弁７５等が設けられている。血液流入ポート２０には、静脈血の温度を測定するための温度プルーブ７０が突き刺されている。
【００２７】
血液流入ポート２０には体外血液循環回路の脱血ラインのチューブが接続され、心内血流入ポート５０には心内血吸引ラインのチューブが接続される。血液流出ポート１３には体外血液循環回路の送血ラインのチューブが接続される。薬液注入ポート７１，７２には所定の薬液パックに接続された薬液注入ラインのチューブが接続される。薬液注入ポート７１から流入した薬液はカーディオトミー部６０内を通過せずに貯血部１２内に流入し、薬液注入ポート７２から流入した薬液はカーディオトミー部６０内を通過した後、貯血部１２内に流入する。サービスポート７３には各種ラインのチューブが接続される。温度プルーブ７０には温度計測機器と接続された電気配線が接続される。
【００２８】
ハウジング１０内には、静脈血濾過網４７を保持するサポート部材４０が収納されている。サポート部材４０は、略升形状を有するカップ状部４１と、カップ状部の一側面に形成された格子状フレームからなる枠状部４５とを備えている。枠状部４５は、ハウジング本体１１の貯血部１２内に挿入されるように、カップ状部４１よりも下方に延びている。枠状部４５の側面に形成された開口を塞ぐように、静脈血濾過網４７が枠状部４５に固定保持されている。静脈血濾過網４７は、枠状部４５の上下方向のほぼ全範囲にわたって延設されており、その下端が血液流出ポート１３近傍にまで達している。静脈血濾過網４７は、血液中の異物や気泡を除去するフィルターとしての機能を有している。
【００２９】
血液流入ポート２０の第２管部２２の流出端２２ｅと静脈血導入管３０の上端とが蓋体１６を介して接続されている。静脈血導入管３０はサポート部材４０の内側を、カップ状部４１から枠状部４５へと案内され、その下端の開口は、貯血槽１の最低血液面レベルＢよりも下側に位置している。
【００３０】
心内血流入ポート５０の下側には、カーディオトミー部６０がサポート部材４０内に配置されている。カーディオトミー部６０は、心内血流入ポート５０から流入した心内血中の気泡を消去する消泡部６１と、心内血中の異物及び気泡を除去する濾過部６３とを備えている。
【００３１】
貯血槽１内の血液の流れを簡単に説明する。患者の静脈から脱血された静脈血は、血液流入ポート２０及び静脈血導入管３０を順に通過して、静脈血導入管３０の下端の開口から流出し、静脈血濾過網４７を通過し、血液流出ポート１３から流出する。また、患者の術野から吸引された心内血は、心内血流入ポート５０及びカーディオトミー部６０を順に通過して、サポート部材４０内に流出し、静脈血濾過網４７を通過し、血液流出ポート１３から流出する。この過程で、血液は貯血部１２内に一時的に貯留される。
【００３２】
上記に示した実施形態は一例であって、本発明はこれに限定されない。
【００３３】
例えば、上記の血液流入ポート２０では、プルーブ挿入部２５は第１管部２１と第２管部２２との接続部に接続されていたが、第１管部２１と第２管部２２との接続部の近傍の第１管部２１又は第２管部２２に接続されていても良い。また、プルーブ挿入部２５の中心軸２５ａは、第２管部２２の中心軸２２ａに対して傾斜していても良く、また、第１管部２１の中心軸２１ａに対して平行であっても又は傾斜していても良い。
【００３４】
また、上記の血液流入ポート２０では、第１管部２１の内壁面は円筒面であったが、その内径が中心軸２１ａ方向において変化していても良い。また、第１管部２１の中心軸２１ａに垂直な断面において第１管部２１の内壁面がなす形状は楕円形、多角形などの円形以外の形状であっても良い。
【００３５】
また、第２管部２２の中心軸２２ａに垂直な断面において第２管部２２の内壁面がなす形状は、プルーブ挿入部２５が接続された位置又はその近傍の位置において楕円形であれば良い。従って、例えば第２管部２２の流出端２２ｅ又はその近傍での第２管部２２の内壁面の断面形状は、楕円形、多角形などの円形以外の形状であっても良い。
【００３６】
また、プルーブ挿入部２５が接続された位置又はその近傍の位置で第２管部２２の内壁面がなす楕円形断面形状の短径Ｄ１は、第１管部２１の内径と一致している必要はなく、また、その長径Ｄ２は第２管部２２の流出端２２ｅ又はその近傍での内径と一致している必要はない。
【００３７】
また、第１管部２１の中心軸２１ａと第２管部２２の中心軸２２ａとがなす角度に制限はなく、任意に設定することができる。
【００３８】
また、血液流入ポートは第３管部２３及び第４管部２４の一方又は両方を有していなくても良く、あるいはこれら以外に更に１又は２以上の筒状部材が接続されていても良い。
【００３９】
更に、本発明の血液流入ポートは、上記の貯血槽１に限定されず、公知の如何なる貯血槽にも搭載することができる。貯血槽は、心内血を濾過し消泡するカーディオトミー部を備えていなくても良い。
【実施例】
【００４０】
本発明の効果を確認するために、血液流路の形状を種々に変えた実施例１，２及び比較例１〜３の５種類の血液流入ポートを作成した。
【００４１】
（比較例１）
温度プルーブが挿入された比較例１に係る血液流入ポートの側面断面図を図１０に示す。本発明の一実施形態を示した図７と同一の機能を有する部材には同一の符号を付してある。比較例１に係る血液流入ポートでは、図７の血液流入ポートで設けられていた第３及び第４管部２３，２４は設けられていない。第１管部２１の中心軸２１ａに垂直な断面において第１管部２１の内壁面がなす形状は、中心軸２１ａ方向の位置にかかわらず直径がφ１２ｍｍで一定の円形とした。また、第２管部２２の中心軸２２ａに垂直な断面において第２管部２２の内壁面がなす形状は、中心軸２２ａ方向の位置にかかわらず直径がφ１２ｍｍで一定の円形とした。第１管部２１の中心軸２１ａと第２管部２２の中心軸２２ａとの交差角度は１２０度とした。プルーブ挿入部２５の中心軸２５ａは第２管部２２の中心軸２２ａと一致していた。第１管部２１と第２管部２２との接続部から第１管部２１の流入端２１ｅまでの距離Ｌ１は３０ｍｍ、第２管部２２の流出端２２ｅまでの距離Ｌ２は２７ｍｍとした。
【００４２】
（実施例１）
温度プルーブが挿入された実施例１に係る血液流入ポートの側面断面図を図１１に示す。本発明の一実施形態を示した図７と同一の機能を有する部材には同一の符号を付してある。第１管部２１の中心軸２１ａに垂直な断面において第１管部２１の内壁面がなす形状は、中心軸２１ａ方向の位置にかかわらず直径がφ６ｍｍで一定の円形とした。また、第２管部２２の中心軸２２ａに垂直な断面において第２管部２２の内壁面がなす形状は、プルーブ挿入部２５が接続された位置近傍ではＹ軸方向に短径６ｍｍを有し且つＸ軸方向に長径１０ｍｍを有する楕円形であり、第２管部２２の流出端２２ｅでは直径１０ｍｍの円形とした。プルーブ挿入部２５の中心軸２５ａは第２管部２２の中心軸２２ａに対して第１管部２１とは反対側に距離２ｍｍだけ偏心していた。上記以外は比較例１と同じである。
【００４３】
（実施例２）
温度プルーブが挿入された実施例１に係る血液流入ポートの側面断面図を図１２に示す。本発明の一実施形態を示した図７と同一の機能を有する部材には同一の符号を付してある。実施例２は、プルーブ挿入部２５の中心軸２５ａを第２管部２２の中心軸２２ａと一致させた以外は、実施例１と同じである。
【００４４】
（比較例２）
温度プルーブが挿入された比較例２に係る血液流入ポートの側面断面図を図１３に示す。本発明の一実施形態を示した図７と同一の機能を有する部材には同一の符号を付してある。第１管部２１の中心軸２１ａに垂直な断面において第１管部２１の内壁面がなす形状は、中心軸２１ａ方向の位置にかかわらず直径がφ６ｍｍで一定の円形とした。また、第２管部２２の中心軸２２ａに垂直な断面において第２管部２２の内壁面がなす形状は、中心軸２２ａ方向の位置にかかわらず直径がφ１０ｍｍで一定の円形とした。上記以外は比較例１と同じである。
【００４５】
（比較例３）
温度プルーブが挿入された比較例３に係る血液流入ポートの側面断面図を図１４に示す。本発明の一実施形態を示した図７と同一の機能を有する部材には同一の符号を付してある。第１管部２１の中心軸２１ａに垂直な断面において第１管部２１の内壁面がなす形状は、中心軸２１ａ方向の位置にかかわらず直径がφ６ｍｍで一定の円形とした。また、第２管部２２の中心軸２２ａに垂直な断面において第２管部２２の内壁面がなす形状は、中心軸２２ａ方向の位置にかかわらず直径がφ６ｍｍで一定の円形とした。上記以外は比較例１と同じである。
【００４６】
実施例１，２及び比較例１〜３の血液流入ポートの特徴的構成を表１にまとめる。
【００４７】
【表１】
2008188233.tif 000003
【００４８】
実施例１，２及び比較例１〜３の血液流入ポートの血液充填量を計算により求めた。結果を図１５に示す。
【００４９】
また、実施例１，２及び比較例１〜３の血液流入ポートの圧力損失を測定した。測定は、先端に外径φ３．２ｍｍの略円柱状部を有する温度プルーブ７０をプルーブ挿入部２５に挿入した状態で、第１管部２１の流入端２１ｅから水を流量２×１０-3ｍ3／分で流したときの流入端２１ｅでの水圧と流出端２２ｅでの水圧との差から求めた。結果を図１６に示す。
【００５０】
比較例１と比較例３との対比から分かるように、第１管部２１及び第２管部２２の内壁面の断面形状をいずれも円形としたまま、その内径をφ１２ｍｍからφ６ｍｍに小さくすると、血液流入ポートの血液充填量を小さくすることはできるが、温度プルーブ７０の先端と第２管部２２の内壁面との間の隙間が狭くなるので圧力損失が増加してしまう。
【００５１】
ところが、実施例２のように、第１管部２１の内壁面の断面形状を内径φ６ｍｍの円形とし、第２管部２２の内壁面の断面形状を、プルーブ挿入部２５が接続された位置近傍で短径６ｍｍ×長径１０ｍｍの楕円形とし、流出端２２ｅで内径φ１０ｍｍの円形とすると、比較例３に比べて血液充填量の増加を僅かに抑えながら、圧力損失を大幅に減少させることができる。
【００５２】
更に、実施例１のように、プルーブ挿入部２５の中心軸２５ａを第２管部２２の中心軸２２ａに対して第１管部２１とは反対側にずらすと、実施例２より圧力損失を更に減少させることができる。
【００５３】
更に、実施例１，２は比較例２に比べて、血液充填量は少なく、且つ圧力損失は大幅に減少している。
【００５４】
このように、本発明によれば、血液充填量が小さく、且つ、血液循環時の圧力損失が小さい血液流入ポートを実現できる。
【産業上の利用可能性】
【００５５】
本発明は、心肺手術等を行う際に使用される体外血液循環回路中に設けられる貯血槽として広く利用することができる。
【図面の簡単な説明】
【００５６】
【図１】図１は、本発明の一実施形態に係る血液流入ポートの斜視図である。
【図２】図２は、本発明の一実施形態に係る血液流入ポートの側面図である。
【図３】図３（Ａ）は、本発明の一実施形態に係る血液流入ポートの側面断面図、図３（Ｂ），図３（Ｃ），図３（Ｄ）は、順に図３（Ａ）の断面３Ｂ，３Ｃ，３Ｄにおいて血液流路の内壁面がなす形状を示した図である。
【図４】図４は、本発明の一実施形態に係る血液流入ポートの背面断面図である。
【図５】図５は、温度プルーブが挿入された本発明の一実施形態に係る血液流入ポートの斜視図である。
【図６】図６は、温度プルーブが挿入された本発明の一実施形態に係る血液流入ポートの側面図である。
【図７】図７は、温度プルーブが挿入された本発明の一実施形態に係る血液流入ポートの側面断面図である。
【図８】図８は、本発明の一実施形態に係る血液流入ポートを備えた貯血槽の一例の斜視図である。
【図９】図９は、本発明の一実施形態に係る血液流入ポートを備えた貯血槽の一例の側面断面図である。
【図１０】図１０は、温度プルーブが挿入された比較例１に係る血液流入ポートの側面断面図である。
【図１１】図１１は、温度プルーブが挿入された実施例１に係る血液流入ポートの側面断面図である。
【図１２】図１２は、温度プルーブが挿入された実施例２に係る血液流入ポートの側面断面図である。
【図１３】図１３は、温度プルーブが挿入された比較例２に係る血液流入ポートの側面断面図である。
【図１４】図１４は、温度プルーブが挿入された比較例３に係る血液流入ポートの側面断面図である。
【図１５】図１５は、実施例１，２及び比較例１〜３の血液流入ポートの血液充填量の計算結果を示した図である。
【図１６】図１６は、実施例１，２及び比較例１〜３の血液流入ポートの圧力損失を示した図である。
【図１７】図１７は、従来の貯血槽の概略構成を示した断面図である。
【符号の説明】
【００５７】
１  貯血槽
２０  血液流入ポート
２１  第１管部
２１ａ  第１管部の中心軸
２１ｅ  流入端
２２  第２管部
２２ａ  第２管部の中心軸
２２ｅ  流出端
２３  第３管部
２４  第４管部
２５  プルーブ挿入部
７０  温度プルーブ
【図１】
2008188233.tif 000004
【図２】
2008188233.tif 000005
【図３】
2008188233.tif 000006
【図４】
2008188233.tif 000007
【図５】
2008188233.tif 000008
【図６】
2008188233.tif 000009
【図７】
2008188233.tif 000010
【図８】
2008188233.tif 000011
【図９】
2008188233.tif 000012
【図１０】
2008188233.tif 000013
【図１１】
2008188233.tif 000014
【図１２】
2008188233.tif 000015
【図１３】
2008188233.tif 000016
【図１４】
2008188233.tif 000017
【図１５】
2008188233.tif 000018
【図１６】
2008188233.tif 000019
【図１７】
2008188233.tif 000020